(57)【要約】【課題】  オーガを雪に好適に食い込ませることができ、さらに石などの異物が噛み込むことを防止できる除雪機を提供する。【解決手段】  除雪機１０は、オーガ爪６１〜６３の外周８７に所定間隔をおいて複数の切欠き９１を形成して切欠き９１間の部位を切削刃９５とし、切削刃９５の前端を刃先９５ａ、後端を刃末９５ｂとし、刃先９５ａから切削刃９５の中央にかけて複数の鋸刃９７を設けるとともに、中央から刃末９５ｂにかけて外周８７に沿わせた削ぎ刃９９としたものである。切欠き９１を、略Ｖ字切欠きとするとともに、Ｖ字を構成する後辺に、切欠き９１内へ膨出する凸辺１０５を形成し、凸辺１０５で切欠き９１内への異物１０８の侵入を防止する。【選択図】      図５
2005068744.tif 000002
【特許請求の範囲】
【請求項１】
オーガ軸に複数のオーガ爪を螺旋状に配置し、これらのオーガ爪をオーガ軸で回転させて雪を崩し、崩した雪を掻き集める除雪機において、
前記オーガ爪の外周に所定間隔をおいて複数の切欠きを形成して切欠き間の部位を切削刃とし、
この切削刃の前端を刃先、後端を刃末とし、この刃先から切削刃の中央にかけて複数の鋸刃を設けるとともに、前記中央から刃末にかけて前記外周に沿わせた削ぎ刃とし、
前記切欠きは、略Ｖ字又は略Ｕ字切欠きとするとともに、前記Ｖ字又はＵ字を構成する２つの辺のうち、少なくとも一方の辺は切欠き内へ膨出する凸辺として、切欠き内への異物の侵入を防止するようにしたことを特徴とする除雪機。
【発明の詳細な説明】
【技術分野】
【０００１】
本発明は除雪機に係り、特に、オーガで掻き集めた雪をブロアで跳ね上げ、跳ね上げた雪をシュータで所定位置まで投雪する除雪機に関する。
【背景技術】
【０００２】
除雪機として、機体の前部にオーガ、ブロアおよびシュータを備え、オーガで雪を掻き集め、掻き集めた雪をブロアで跳ね上げ、跳ね上げた雪をシュータで投雪するものが知られている（例えば、特許文献１参照。）。
【特許文献１】特開昭６３−５１３号公報
【０００３】
図９は特許文献１の第１図の再掲図である。ただし、符合は振り直した。
オーガ装置２００は、オーガハウジング２０１内の幅方向中央に、オーガミッション２０２を配置し、オーガミッション２０２の左右側に左右のオーガ軸２０３，２０３を連結し、左右のオーガ軸２０３，２０３にそれぞれ左右のオーガ２０４，２０４（右側のみを図示する）を取り付けたものである。
【０００４】
左右のオーガ２０４，２０４を、それぞれ第１〜第３のオーガ爪２０５〜２０７で構成する。
第１〜第３のオーガ爪２０５〜２０７を左右のオーガ軸２０３，２０３の回りに等間隔に取り付けて、左右のオーガ２０４，２０４を螺旋状に形成する。
これらのオーガ爪２０５〜２０７は、それぞれの外周を湾曲状に形成した部材である。
【０００５】
オーガ装置２００によれば、エンジンで駆動軸２０８を回転することで、オーガーミッション２０２を介して左右のオーガ軸２０３，２０３を回転する。
左右のオーガ２０４，２０４を矢印の如く回転することにより、第１〜第３のオーガ爪２０５〜２０７を雪に食い込ませて雪を崩し、崩した雪を第１〜第３のオーガ爪２０５〜２０７で車幅方向中央、すなわちオーガミッション２０２まで掻き集める。
掻き集めた雪をブロアで跳ね上げ、跳ね上げた雪をシュータで案内して所望位置に投雪する。
【０００６】
ここで、第１〜第３のオーガ爪２０５〜２０７は外周が湾曲状の滑らかな形状なので、第１〜第３のオーガ爪２０５〜２０７を雪に食い込ませる際に、雪に良好に食い込ませることは難しい。
第１〜第３のオーガ爪２０５〜２０７を雪に良好に食い込ませるための対策として、第１〜第３のオーガ爪２０５〜２０７の外周に所定間隔をおいて溝を設け、外周を凹凸状に形成することが考えられる。
【０００７】
しかし、雪の中には、石などの異物２０９が埋没しているので、第１〜第３のオーガ爪２０５〜２０７の外周に溝を設けると、雪に埋没している異物が溝に入り込む虞がある。
例えば、第２オーガ爪２０６の溝内に異物２０９が入り込んだ場合、溝内の異物２０９をオーガハウジング２０１と第２オーガ爪２０６との間に噛み込む虞がある。
【発明の開示】
【発明が解決しようとする課題】
【０００８】
本発明は、オーガを雪に好適に食い込ませることができ、さらに石などの異物が噛み込むことを防止できる除雪機を提供することを課題とする。
【課題を解決するための手段】
【０００９】
請求項１に係る発明は、オーガ軸に複数のオーガ爪を螺旋状に配置し、これらのオーガ爪をオーガ軸で回転させて雪を崩し、崩した雪を掻き集める除雪機において、前記オーガ爪の外周に所定間隔をおいて複数の切欠きを形成して切欠き間の部位を切削刃とし、この切削刃の前端を刃先、後端を刃末とし、この刃先から切削刃の中央にかけて複数の鋸刃を設けるとともに、前記中央から刃末にかけて前記外周に沿わせた削ぎ刃とし、前記切欠きは、略Ｖ字又は略Ｕ字切欠きとするとともに、前記Ｖ字又はＵ字を構成する２つの辺のうち、少なくとも一方の辺は切欠き内へ膨出する凸辺として、切欠き内への異物の侵入を防止するようにしたことを特徴とする。
【００１０】
オーガ爪の外周に所定間隔をおいて複数の切欠きを形成して切欠き間の部位を切削刃とし、この切削刃の前端を刃先、後端を刃末とした。このように、オーガ爪の外周に複数の切削刃を設けることで、切削刃で比較的軟らかい雪塊を切り崩す。
さらに、切削刃の刃先から切削刃の中央にかけて複数の鋸刃を設けることで、鋸刃で比較的硬い雪塊を破砕する。
加えて、切削刃の中央から刃末にかけた部位を、オーガ爪の外周に沿わせた削ぎ刃とすることで、切削刃で切り崩した雪や、鋸刃で破砕した雪を、削ぎ刃で車幅中央側に好適に寄せる。
【００１１】
また、切欠きを構成する２つの辺のうち、少なくとも一方の辺を凸辺とし、この凸辺で切欠き内への異物の侵入を防ぐようにした。
このように、切欠き内への異物の侵入を凸辺で防ぐことで、オーガ爪と、オーガ爪のハウジングとの間に異物を噛み込むことを防止する。
【発明の効果】
【００１２】
請求項１に係る発明では、切削刃と鋸刃を設けることで、軟らかい雪塊や硬い雪塊などの、あらゆる種類の雪質に対応できるという利点がある。
さらに、オーガ爪と、オーガ爪のハウジングとの間に異物を噛み込むことを防ぐことで、オーガ爪の交換などによる作業中断を防ぐことができるという利点がある。
【発明を実施するための最良の形態】
【００１３】
本発明を実施するための最良の形態を添付図に基づいて以下に説明する。なお、図面は符号の向きに見るものとする。
図１は本発明に係る除雪機を示す側面図である。
除雪機１０は、機体を兼ねる伝動ケース１１の下部左右側にそれぞれ走行用の電動モータ１２，１３を取り付け、左右の電動モータ１２，１３に走行装置１４を連結するとともに、走行装置１４を伝動ケース１１の下部に備え、伝動ケース１１の上部にエンジン１５を取り付け、エンジン１５で駆動する除雪装置１６を伝動ケース１１の前部に備え、除雪装置１６の後部およびエンジン１５をカバー体１８で覆い、伝動ケース１１の上部から後上方へ向けて左右の操作ハンドル２１，２２を延ばし、これら左右の操作ハンドル２１，２２間に操作盤２３を取り付け、作業者が左右の操作ハンドル２１，２２のグリップ２４，２５を握った状態で操作盤２３の後から連れ歩く、自力走行式の歩行型作業機である。
【００１４】
走行装置１４は、左側の電動モータ１２の外側に左側走行部２６を備え、右側の電動モータ１３の外側に右側走行部２７を備える。
左側走行部２６は、左側の電動モータ１２に連結する左側の駆動輪３１を備え、この駆動輪３１の後方に左側の遊転輪３２を回転自在に備え、左側の駆動輪３１および左側の遊転輪３２に左側のクローラベルト３３を巻き掛けたものである。
【００１５】
なお、右側走行部２７は、左側走行部２６と同一構成部材なので、それぞれの構成部材に同一符合を付して説明を省略する。
また、除雪装置１６は、オーガ部３５、ブロア部３６およびシュータ３７などで構成したものである。
カバー体１８は、上カバー部４１と下カバー部４２とからなり、下カバー部４２でエンジン１５の底面を覆い、上カバー部４１でエンジン１５の上方を覆うことで、エンジン１５を全体に覆うように構成したものである。
【００１６】
この除雪機１０によれば、左右の電動モータ１２，１３を駆動して、左右の駆動モータ１２，１３で左右の駆動輪３１，３１を駆動することにより、左右のクローラベルト３３，３３を回転する。左右のクローラベルト３３，３３を回転することで除雪機１０が走行する。
この状態において、エンジン１５で除雪装置１６、すなわちオーガ部３５およびブロア部３６を駆動して除雪作業をおこなう。
以下、オーガ装置３５について詳しく説明する。
【００１７】
オーガ装置３５は、機体１１の前部１１ａにブロアハウジング４４を設けるとともに、このブロアハウジン４４の前部にオーガハウジング４５を設け、エンジン１５のクランクシャフト４６の駆動軸に減速機（図示せず）を介して駆動軸４７を連結し、駆動軸４７を前方に延ばし、この駆動軸４７をブロアハウジング４４を貫通させてオーガハウジング４５内まで延ばし、この駆動軸４７の途中に、ブロアハウジング４４内に配置したブロア４８を取り付け、駆動軸４７の先端４７ａを車幅方向中央に配置したオーガミッション５１に連結し、オーガミッション５１から左右方向に向けてそれぞれ左右のオーガ軸（オーガ軸）５２，５３を延ばし、それぞれのオーガ軸５２，５３に左右側のオーガ５５，５６を設けたものである。
【００１８】
エンジン１５で駆動軸４７を回転することにより、駆動軸４７でブロア４８を回転するとともに、オーガミッション５１を介して左右のオーガ軸５２，５３を回転し、左右のオーガ軸５２，５３でそれぞれ左右側のオーガ５５，５６を回転する。
【００１９】
この状態で、除雪機１０を前進させることにより、左右側のオーガ５５，５６を雪に食い込ませて雪を崩し、崩した雪を左右側のオーガ５５，５６で車幅方向中央のブロアハウジング４４内に掻き集める。
ブロアハウジング４４内に掻き集めた雪をブロア４８で跳ね上げ、この跳ね上げた雪をブロアハウジング４４の上部に設けたシュータ３７で案内して所望位置に投雪する。
【００２０】
図２は本発明に係る除雪機のオーガ部を示す斜視図である。
左側のオーガ５５は、左オーガ軸５２に外側から車幅方向中央、すなわちオーガミッション５１に向けて外側オーガ爪（オーガ爪）６１、中間オーガ爪（オーガ爪）６２および内側オーガ爪（オーガ爪）６３を順に設け、外側オーガ爪６１および内側オーガ爪６３を共通の第１の螺旋軌跡（想像線で示す）６５に沿って配置し、この第１の螺旋軌跡６５に対して位相をほぼ１８０°ずらした第２の螺旋軌跡（想像線で示す）６６に沿って中間オーガ爪６２を配置したものである。
【００２１】
右側のオーガ５６は、左側のオーガ５５に対して位相を略１８０°ずらしたものである。すなわち、右オーガ軸５３に外側から車幅方向中央（すなわち、オーガミッション５１）に向けて外側オーガ爪６１、中間オーガ爪６２および内側オーガ爪６３を順に設ける。
【００２２】
このように、右側のオーガ５６は、左側のオーガ５５に対して位相が１８０°ずれているだけで、その他の構成は同じなので、それぞれの構成部材に同一符号を付して右側のオーガ５６の説明を省略する。
【００２３】
左オーガ軸５２の外側部位に外側ホルダー６７を取り付け、外側ホルダー６７に外側オーガ爪６１をボルト６８，６８およびナット６９，６９（ナット６９は右オーガ軸５３の外側オーガ爪６１を参照）で取り付ける。
左オーガ軸５２の中間部位に中間ホルダー７１を取り付け、中間ホルダー７１に中間オーガ爪６２をボルト６８，６８およびナット６９，６９（ボルト６８およびナット６９は図３参照）で取り付ける。
【００２４】
左オーガ軸５２の内側部位に内側ホルダー７２を取り付け、内側ホルダー７２に内側オーガ爪６３をボルト６８，６８およびナット６９，６９で取り付ける。
これらの外側オーガ爪６１、中間オーガ爪６２および内側オーガ爪６３は、それぞれ同一形状の部材である。
【００２５】
内側ホルダー７２の近傍で、かつオーガミッション５１側の部位に爪ホルダー７３を取り付け、爪ホルダー７３に左打込み爪７５をボルト・ナット（図示せず）で設ける。これにより、内側オーガ爪６３の近傍に左打込み爪７５を配置する。
左打込み爪７５は、爪ホルダ７３に取り付ける基端部７６と、この基端部７６から車幅方向中央、すなわちオーガミッション５１に向けて湾曲状に折り曲げた湾曲爪部７７とからなる。
この左打込み爪７５を、左側の外側オーガ爪６１の後端６１ｂおよび内側オーガ爪６３の前端６３ａに配置し（図３も参照）、かつ左側の中間オーガ爪６２に対して位相を略１８０°ずらして配置する。
【００２６】
右打込み爪８１は、左打込み爪７５と同様に、右オーガ軸５３の内側オーガ爪６３の近傍で、かつオーガミッション５１側の部位に取り付けたものである。
すなわち、右オーガ軸５３の内側ホルダー７２の近傍で、かつオーガミッション５１側の部位に爪ホルダー８２を取り付け、爪ホルダー８２に左打込み爪８１をボルト・ナット（図示せず）で設ける。これにより、右オーガ軸５３の内側オーガ爪６３の近傍に右打込み爪８１を配置する。
【００２７】
この右打込み爪８１は、左打込み爪７５に対して位相を１８０°ずらして配置したものである。
よって、右打込み爪８１を、右側の外側オーガ爪６１の後端６１ｂおよび内側オーガ爪６３の前端６３ａに配置し、かつ左側の中間オーガ爪６２に対して位相を略１８０°ずらして配置する。
なお、右打込み爪８１は、左打込み爪７５と同一形状なので、右打込み爪８１の構成部に左打込み爪７５と同一符号を付して説明を省略する。
【００２８】
このように、左右の打込み爪７５，８１を設けることで、左右の打込み爪７５，８１を雪塊に食い込ませ、オーガ部３５の浮き上がりを防止する。
さらに、左打込み爪７５を、左側の中間オーガ爪６２に対して位相を略１８０°ずらして配置し、かつ右打込み爪８１を、右側の中間オーガ爪６２に対して位相を略１８０°ずらして配置することで、左右側のオーガ５５，５６の重量バランスを確保し、左右側のオーガ５５，５６を円滑に回転する。
【００２９】
図３は本発明に係る除雪機のオーガ部を示す側面図であり、外側オーガ爪６１を上方に配置した状態を示す。
左側のオーガ５５は、外側オーガ爪６１の前端６１ａに対して中間オーガ爪６２の前端６２ａをオーガ回転方向（矢印ａで示す）にθ１（９０°）ずらして配置し、中間オーガ爪６２の前端６２ａに対して内側オーガ爪６３の前端６３ａをオーガ回転方向にθ１（９０°）ずらして配置したものである。
これにより、内側オーガ爪６３の前端６３ａを、外側オーガ爪６１の前端６１ａに対してオーガ回転方向に２×θ１（１８０°）ずらして配置する。
【００３０】
外側オーガ爪６１は、外側ホルダー６７にボルト６８・ナット６９で固定する基部８５と、基部８５に一体に形成し、オーガ回転方向と逆方向に円弧状に延びたブレード本体８６とからなる。
ブレード本体８６を、側面視において、前端６１ａから後端６１ｂまで、円弧角θ２が略１８０°の三日月形に形成するとともに、ブレード本体８６の外周（オーガ爪の外周）８７を円弧に形成する。ブレード本体８６の前半部８６ａから左オーガ軸５２に向けて基部８５を延ばし、基部８５を外側ホルダー６７にボルト止めする。
中間オーガ爪６２および内側オーガ爪６３は、外側オーガ爪６１と同一形状のブレードであり、同一符合を付して説明を省略する。
【００３１】
ブレード本体８６を、側面視において円弧角θ２が略１８０°の三日月形になるように形成することで、外側オーガ爪６１の後端６１ｂを、内側オーガ爪６３の前端６３ａ近傍に配置する。
外側オーガ爪６１の後端６１ｂに内側オーガ爪６３の前端６３ａを隣接することで、外側オーガ爪６１および内側オーガ爪６３を第１の螺旋軌跡６５（図２参照）に沿って連続的に配置する。
【００３２】
これにより、オーガ部３５を矢印ａの如く回転して、外側オーガ爪６１、内側オーガ爪６３、中間オーガ爪６２の順に雪を崩す際に、外側オーガ爪６１による雪崩し作業を完了後、継続して内側オーガ爪６３による雪崩し作業を開始する。
加えて、左側のオーガ５５で掘削した雪を、外側オーガ爪６１、中間オーガ爪６２および内側オーガ爪６３で車幅方向中央、すなわちオーガミッション５１に向けて円滑に送ることが可能になる。
【００３３】
内側オーガ爪６３による雪崩し作業を途中まで実施した時点で、中間オーガ爪６２による雪崩し作業を開始し、中間オーガ爪６２による雪崩し作業を途中まで実施した時点で、外側オーガ爪５５による雪崩し作業を開始する。
これにより、外側オーガ爪６１、内側オーガ爪６３、中間オーガ爪６２の順に雪を連続的に崩すことが可能になる。
【００３４】
左打込み爪７５を、側面視において、外側オーガ爪６１の後端６１ｂおよび内側オーガ爪６３の前端６３ａに位置するように配置する。
さらに、この左打込み爪７５を、湾曲爪部７７の先端７８を、内外側のオーガ爪６３，６１の外周（オーガ爪の外周）８７近傍まで延ばす。
【００３５】
図４は本発明に係る除雪機の外側オーガ爪を示す側面図である。
外側オーガ爪６１は、ブレード本体８６の外周（オーガ爪の外周）に所定間隔をおいて複数の切欠き９１を形成して切欠き９１，９１間の部位、すなわち切欠き９１の谷部９２間の部位を切削刃９５とし、切削刃９５の前端を刃先９５ａ、後端を刃末９５ｂとしたものである。
具体的には、切欠き９１を略Ｖ字状とし、このＶ字を構成する前後の辺（Ｖ字を構成する２つの辺）のうち、後方の辺（一方の辺）を刃先９５ａとし、前方の辺を刃末９５ｂとする。
すなわち、切欠き９１の後辺は刃先９５ａを兼ね、切欠き９１の前辺は刃末９５ｂを兼ねる。
【００３６】
また、外側オーガ爪６１は、刃先９５ａから切削刃９５の中央９５ｃにかけて複数の鋸刃９７を設けるとともに、中央９５ｃから刃末９５ｂにかけて、外側オーガ爪６１の外周８７に沿わせた削ぎ刃９９としたものである。
【００３７】
切削刃９５の刃先９５ａから中央９５ｃにかけて複数（２個）の溝１０１，１０１を形成し、それぞれの溝１０１，１０１の後辺を鋸刃９７，９７とする。これにより、切削刃９５の刃先９５ａから中央９５ｃにかけて２個の鋸刃９７，９７を備える。
また、切削刃９５の中央９５ｃから刃末９５ｂにかけて、折曲線１０３で紙面に対して裏側に、すなわち車幅方向中心側に折り曲げて削ぎ刃９９とする。この削ぎ刃９９の外周９９ａを、外側オーガ爪６１の外周８７に沿わせる。
【００３８】
さらに、外側オーガ爪６１は、切欠き９１の後辺、すなわち切削刃９５の刃先９５ａに切欠き９１内へ膨出する凸辺１０５を備えたものである。切削刃９５の刃先９５ａに切欠き９１内へ膨出する凸辺１０５を備えることで、切欠き９１内への、石などの異物（図示せず）の侵入を防止する。
【００３９】
図５は本発明に係る除雪機の外側オーガ爪の要部拡大図である。
外側オーガ爪６１の外周８７に所定間隔をおいて複数の切欠き９１を形成して切欠き９１間の部位を切削刃９５とし、切削刃９５の前端を刃先９５ａ、後端を刃末９５ｂとした。
さらに、切削刃９５の刃先９５ａから中央９５ｃにかけて複数（２個）の溝１０１，１０１を形成することで鋸刃９７，９７を設けた。
【００４０】
ここで、切欠き９１の深さＤ１を、溝の深さＤ２と比較して大きく形成する。さらに、切欠き９１間の所定間隔を比較的大きく設定する。
よって、切削刃９５の刃先９５ａの高さＤ１が大きくなり、さらに切削刃９５が比較的大きな形状になる。
このように、切削刃９５の刃先９５ａの高さをＤ１と大きくし、切削刃９５を比較的大きな形状にすることで、切削刃９５・・・で比較的軟らかい雪塊を良好に切り崩すことが可能になる。
【００４１】
一方、溝の深さＤ２を、切欠き９１の深さＤ１と比較して小さく形成する。さらに、切削刃９５の刃先９５ａから中央９５ｃにかけて複数（２個）の溝１０１，１０１を形成することで、溝の間隔は狭くなる。
よって、鋸刃９７の高さＤ２が小さくなり、さらに鋸刃９７の間隔が比較的狭くなる。
このように、鋸刃９７の高さＤ２を小さくし、鋸刃９７の間隔を比較的小さくすることで、鋸刃９７・・・で比較的硬い雪塊を破砕することが可能になる。
【００４２】
加えて、切削刃９５の中央９５ｃから刃末９５ｂにかけた部位を、外側オーガ爪６１の外周８７に沿わせた削ぎ刃９９とする。
具体的には、切削刃９５の中央９５ｃから刃末９５ｂにかけて、折曲線１０３で紙面に対して裏側に、すなわち車幅方向中心側に折り曲げて削ぎ刃９９とする。
切削刃９５の中央９５ｃから刃末９５ｂにかけて削ぎ刃９９を設けることで、切削刃９５で切り崩した雪や、鋸刃９７で破砕した雪を、削ぎ刃９９で車幅中央側、すなわちオーガーミッション５１（図２参照）側に好適に寄せることが可能になる。
【００４３】
また、切欠き９１を構成する２つの辺９５ａ，９５ｂのうち、後辺９５ａに凸辺１０５を設けた。凸辺１０５は、後辺９５ａに湾曲状に隆起させたものである。凸辺１０５は、後辺９５ａに湾曲状に隆起させた理由は以下の通りである。
すなわち、凸辺１０５を湾曲状に隆起させることで、切削刃９５の刃先９５で比較的軟らかい雪塊を良好に切り崩すことを可能にし、異物を良好に押し出すことを可能にする。
【００４４】
このように、凸辺１０５を後辺９５ａに設けることで、切欠き９１内への異物の侵入を凸辺１０５で防止する。
切欠き９１内への異物の侵入を凸辺１０５で防止することで、外側オーガ爪６１と、オーガハウジング４５（図１参照）との間に異物を噛み込むことを防ぐことが可能になる。
【００４５】
次に、除雪機１０で除雪作業を実施する際のオーガ部３５の作用を図６〜図８に基づいて説明する。
図６（ａ），（ｂ）は本発明に係る除雪機のオーガ部で雪を掻き集める例を説明する図である。
（ａ）において、左右のオーガ軸５２，５３で左右のオーガ５５，５６を矢印ａの如く回転する。
左オーガ５５を矢印ａの如く回転することで、外側オーガ爪６１、内側オーガ爪６３、中間オーガ爪６２の順に雪塊（雪）１０７を崩す。
【００４６】
具体的には、外側オーガ爪６１による雪塊１０７を崩す作業を完了した直後に、内側オーガ爪６３による雪塊１０７を崩す作業を継続して開始する。
そして、内側オーガ爪６３による雪塊１０７を崩す作業を途中まで実施した時点で、中間オーガ爪６２による雪塊１０７を崩す作業を開始する。
【００４７】
さらに、中間オーガ爪６２による雪塊１０７を崩す作業を途中まで実施した時点で、外側オーガ爪５５による雪塊１０７を崩す作業を開始する。
これにより、外側オーガ爪６１、内側オーガ爪６３、中間オーガ爪６２で雪塊１０７を連続的に崩す。
なお、右側のオーガ５６は、左側のオーガ５５に対して位相が１８０°ずれているだけであり、左側のオーガ５５と同様に雪塊１０７を崩す。
【００４８】
（ｂ）において、左側のオーガ５５で崩した雪塊１０７（（ａ）参照）を、外側オーガ爪６１、中間オーガ爪６２および内側オーガ爪６３で車幅方向中央、すなわちオーガミッション５１に向けて矢印ｂの如く送る。
同様に、右側のオーガ５６で崩した雪塊１０７を、外側オーガ爪６１、中間オーガ爪６２および内側オーガ爪６３で車幅方向中央、すなわちオーガミッション５１に向けて矢印ｃの如く送る。
【００４９】
図７（ａ）〜（ｃ）は本発明に係る除雪機の外側オーガ爪の作用を説明する図である。なお、図７においては、外側オーガ爪６１についてのみ説明するが、中間オーガ爪６２おおび内側オーガ爪６３も同様の作用を得る。
（ａ）において、外側オーガ爪６１を矢印ａの如く回転する。ここで、雪塊１０７が比較的軟らかい雪質の場合、この雪塊１０７を、外側オーガ爪６１の切削刃９５・・・（１個のみ図示する）で良好に切り崩す。
また、雪塊１０７が比較的硬い雪質の場合、この雪塊１０７を、外側オーガ爪６１の鋸刃９７・・・で比較的硬い雪塊を破砕する。
【００５０】
このように、外側オーガ爪６１に切削刃９５・・・と鋸刃９７・・・を設けることで、オーガ部３５（図２参照）を軟らかい雪塊１０７や、硬い雪塊１０７などの、あらゆる種類の雪質に対応することができる。
なお、雪塊１７中には、石などの異物１０８が埋没されている。
【００５１】
（ｂ）において、外側オーガ爪６１の切欠き９１が異物１０８の位置に到達すると、切欠き９１の開口から異物１０８が入り込もうとする。
切欠き９１の開口に異物１０８が位置すると、切欠き９１に設けた凸辺１０５に異物１０８が当たって、異物１０８が切欠き９１内に侵入することを防止する。
【００５２】
（ｃ）において、外側オーガ爪６１が継続して矢印ａの如く回転することで、凸辺１０５を滑らせながら異物１０８を矢印ｄの如く送り、切欠き９１の外に排出する。
ここで、凸辺１０５を切欠き９１の後辺、すなわち刃先９５ａに設け、さらに凸辺１０５を湾曲状に形成した。これにより、異物１０８を凸辺１０５で切欠き９１の外に好適に押し出す。
これにより、異物１０８が切欠き９１内に侵入することを防ぎ、外側オーガ爪６１の交換による作業中断を防止する。
【００５３】
図８（ａ）〜（ｃ）は外側オーガ爪の比較例を説明する図である。
（ａ）において、外側オーガ爪２５０を矢印ｅの如く回転する。ここで、雪塊２５１が比較的軟らかい雪質の場合、この雪塊２５１を、外側オーガ爪２５０の切削刃２５２・・・（１個のみ図示する）で切り崩す。
また、雪塊２５１が比較的硬い雪質の場合、この雪塊５１を、外側オーガ爪２５０の鋸刃２５３・・・で破砕する。
なお、雪塊２５１中には、石などの異物２５４が埋没されている。
【００５４】
（ｂ）において、外側オーガ爪２５０の切欠き２５５が異物２５４の位置に到達すると、切欠き２５５の開口から切欠き２５５内に異物２５４が入り込む。
【００５５】
（ｃ）において、外側オーガ爪２５０が継続して矢印ｅの如く回転することで、切欠き２５５の開口から入り込んだ異物２５４が、切欠き２５５内に侵入する。
このため、切欠き２５５内の異物２５４をオーガハウジング（図示せず）と外側オーガ爪２５０との間に噛み込む虞がある。
【００５６】
なお、前記実施の形態では、切欠き９１を略Ｖ字に形成し、略Ｖ字を構成する前後の辺９５ａ，９５ｂ（２つの辺）のうち、後辺９５ａに凸辺１０５を形成する例について説明したが、これに限らないで、切欠き９１の前辺９５ｂに凸辺１０５を形成することも可能であり、前後の辺９５ａ，９５ｂにそれぞれ凸辺１０５，１０５を形成することも可能である。
【００５７】
また、前記実施の形態では、切欠き９１を略Ｖ字に形成した例について説明したが、これに限らないで、切欠き９１を略Ｕ字などのその他の形状に形成することも可能である。
さらに、前記実施の形態では、凸辺１０５を湾曲状に隆起させた例について説明したが、これに限らないで、台形などのその他の形状に隆起させることも可能である。
【産業上の利用可能性】
【００５８】
本発明は、オーガで雪を崩して掻き集め、掻き集めた雪をブロアで跳ね上げ、跳ね上げた雪をシュータで投雪する除雪機に好適である。
【図面の簡単な説明】
【００５９】
【図１】本発明に係る除雪機を示す側面図である。
【図２】本発明に係る除雪機のオーガ部を示す斜視図である。
【図３】本発明に係る除雪機のオーガ部を示す側面図である。
【図４】本発明に係る除雪機の外側オーガ爪を示す側面図である。
【図５】本発明に係る除雪機の外側オーガ爪の要部拡大図である。
【図６】本発明に係る除雪機のオーガ部で雪を掻き集める例を説明する図である。
【図７】本発明に係る除雪機の外側オーガ爪の作用を説明する図である。
【図８】外側オーガ爪の比較例を説明する図である。
【図９】特許文献１の第１図の再掲図である。
【符号の説明】
【００６０】
１０…除雪機、５２…左オーガ軸（オーガ軸）、５３…右オーガ軸（オーガ軸）、５５…左側のオーガ、５６…右側のオーガ、６１…外側オーガ爪（オーガ爪）、６２…中間オーガ爪（オーガ爪）、６３…内側オーガ爪（オーガ爪）、８７…外側オーガ爪の外周（オーガ爪の外周）、９１…切欠き、９５…切削刃、９５ａ…刃先（略Ｖ字を構成する２つの辺のうちの後辺）、９５ｂ…刃末（略Ｖ字を構成する２つの辺のうちの前辺）、９５ｃ…切削刃の中央、９７…鋸刃、９９…削ぎ刃、１０５…凸辺、１０７…雪塊、１０８…異物。
【図１】
2005068744.tif 000003
【図２】
2005068744.tif 000004
【図３】
2005068744.tif 000005
【図４】
2005068744.tif 000006
【図５】
2005068744.tif 000007
【図６】
2005068744.tif 000008
【図７】
2005068744.tif 000009
【図８】
2005068744.tif 000010
【図９】
2005068744.tif 000011